(57)【要約】【課題】タイプの異なるトレイをそれぞれ良好に進退出することのできるとともに、進出時にもトレイを好適に保持することのできる本体シャーシを備えた、トレイローディング装置を提供する。【解決手段】本体シャーシ１０と、この本体シャーシ１０に進退可能に設けられ、当該本体シャーシ１０から進出したとき、ＣＤなどの載置もしくは排出を可能にするべく後端側に設けられた所定の支持領域が本体シャーシ１０に支持されて進出状態が保持されるトレイとを備えたトレイローディング装置であって、本体シャーシ１０には、本体シャーシ１０から進出したとき、所定の支持領域の進退方向における長さの異なる少なくとも２種類のトレイ３０，４０を保持可能に、支持領域の長さに応じた複数の支持手段が設けられている。【選択図】  図１
2004246962.tif 000002
【特許請求の範囲】
【請求項１】
本体シャーシと、この本体シャーシに進退可能に設けられ、当該本体シャーシから進出したとき、記録媒体の載置もしくは排出を可能にするべく後端側に設けられた所定の支持領域が本体シャーシに支持されて進出状態が保持されるトレイとを備えたトレイローディング装置であって、
前記本体シャーシには、前記本体シャーシから進出したときに前記所定の支持領域の進退方向における長さの異なる少なくとも２種類のトレイを保持可能に、前記支持領域の長さに応じた複数の支持手段が設けられていることを特徴とする、トレイローディング装置。
【請求項２】
前記支持手段は、少なくとも前記トレイの支持領域の進退方向における前端部と後端部とを支持する複数の支持部材からなり、
前記複数の支持手段は、前記支持部材間の長さが支持領域の長さの異なるトレイに対応して相互に異なる、請求項１記載のトレイローディング装置。
【請求項３】
前記支持部材間の長さの長い支持手段の前記支持領域の後端部を支持する支持部材は、前記支持領域の長いトレイが本体シャーシに取り付けられ、当該トレイが当該本体シャーシから進出したとき、その支持領域の後端部を本体シャーシ側に押圧する押圧部材からなる、請求項１または２に記載のトレイローディング装置。
【請求項４】
前記本体シャーシには、前記トレイの進退方向に沿った両側端部近傍にそれぞれ形成された案内溝に係合するための案内部材が、前記トレイの進退方向に沿った、前記本体シャーシの両側端部近傍にそれぞれ形成されており、
前記案内部材は、前記トレイを前記本体シャーシから進出させたときに当該トレイの支持領域を支持する支持手段の支持部材として兼用される、請求項２ないし３のいずれかに記載のトレイローディング装置。
【請求項５】
請求項３に記載のトレイローディング装置に用いられるトレイであって、
前記トレイには、前記トレイが前記本体シャーシから進出したとき、その支持領域の後端部を本体シャーシ側に押圧する押圧部材に当接する突起部材が形成されている、トレイ。
【請求項６】
請求項４に記載のトレイローディング装置に用いられるトレイであって、
前記トレイには、前記トレイの進退方向に沿った、前記本体シャーシの両側端部近傍にそれぞれ形成された案内部材を係合するための案内溝が、前記トレイの進退方向に沿った両側端部近傍にそれぞれ形成されており、
一方の側端部に形成された案内溝の溝幅は、他方の側端部に形成された案内溝の溝幅に対して異なるように構成されている、トレイ。
【発明の詳細な説明】
【０００１】
【発明の属する技術分野】
本発明は、記録媒体を載置可能なトレイを収納するための本体シャーシを備えるトレイローディング装置に関する。
【０００２】
【従来の技術】
従来より、たとえばＣＤ（ｃｏｍｐａｃｔ  ｄｉｓｃ）やＤＶＤ（ｄｉｇｉｔａｌ  ｖｅｒｓａｔｉｌｅ  ｄｉｓｃ）などを再生するための再生装置では、ＣＤなどを載置可能なトレイを収納するための本体シャーシが備えられたトレイローディング装置が設けられている（たとえば、特許文献１参照）。ユーザは、たとえばＣＤなどを再生させる際、上記トレイローディング装置によって、本体シャーシに対してトレイを出し入れすることができ、トレイにＣＤなどを載置したり、トレイからＣＤなどを取り除いたりすることができる。
【０００３】
【特許文献１】
特開２００２−３８５１８２
【０００４】
再生装置は種々の機能が搭載されるか否かによって、価格が異なる複数の機種が製作され、再生装置の価格によってそれに設けられるトレイローディング装置も異なるものとなっている。たとえば比較的高級な機種（たとえば「ハイエンドモデル」と呼称される）では、トレイの進退方向の長さが、比較的安価な機種（たとえば「ローエンドモデル」と呼称される）に比べ長くされ、ローエンドモデルよりもトレイを本体シャーシから引き出してＣＤなどを載置したり、取り除いたりするときの当該トレイの上下方向のがたつきが少なく安定したものとなるように価格に応じた品質の差が設けられている。
【０００５】
【発明が解決しようとする課題】
すなわち、トレイローディング装置では、本体シャーシからトレイを進出させたとき、トレイの後端部の一部領域を本体シャーシに残し、その一部領域の進退方向の両端部（トレイ排出口に近接した部分とトレイ排出口から最も奥まった部分）を本体シャーシに設けられた保持部材で保持することにより、トレイを水平に保持するように構成されているが、通常、ハイエンドモデルのトレイの場合、ローエンドモデルのトレイの場合に比べ、トレイを保持するための領域（以下、保持領域という。）が進退方向に長く、それに伴いその保持領域の保持部材による保持位置の間隔が長く設定されている。
【０００６】
そのため、ハイエンドモデルのトレイの方が、ローエンドモデルのトレイに比べ、上下方向および左右方向におけるがたつきがより抑制され、より高級感を醸し出すことができるようになっている。このように、トレイの保持領域の長さとその保持領域の保持部材による保持位置とがローエンドモデルとハイエンドモデルとで異なるため、従来では、ローエンドモデルのトレイを収納するための本体シャーシをハイエンドモデルのトレイを収納するための本体シャーシに用いることはできず、ローエンドモデルのトレイおよびハイエンドモデルのトレイに応じた本体シャーシがそれぞれ個別的に製作されていた。
【０００７】
しかしながら、ハイエンドモデルのトレイおよびローエンドモデルのトレイがそれぞれ収納可能なように、本体シャーシを共通化することができれば、部品コストおよび製作コストの大幅な削減化を図ることができるため、以前から本体シャーシを共通化したいといった要請があった。
【０００８】
本発明は、このような事情のもとで考え出されたものであって、タイプの異なるトレイをそれぞれ良好に進退出することのできるとともに、進出時にもトレイを好適に保持することのできる本体シャーシを備えた、トレイローディング装置を提供することを、その課題としている。
【０００９】
【発明の開示】
上記の課題を解決するため、本発明では、次の技術的手段を講じている。
【００１０】
本発明の第１の側面によって提供されるトレイローディング装置は、本体シャーシと、この本体シャーシに進退可能に設けられ、当該本体シャーシから進出したとき、記録媒体の載置もしくは排出を可能にするべく後端側に設けられた所定の支持領域が本体シャーシに支持されて進出状態が保持されるトレイとを備えたトレイローディング装置であって、前記本体シャーシには、前記本体シャーシから進出したとき、前記所定の支持領域の進退方向における長さの異なる少なくとも２種類のトレイを保持可能に、前記支持領域の長さに応じた複数の支持手段が設けられていることを特徴としている。
【００１１】
好ましくは、前記支持手段は少なくとも前記トレイの支持領域の進退方向における前端部と後端部とを支持する複数の支持部材からなり、複数の支持手段は、支持部材間の長さが支持領域の長さの異なるトレイに対応して相互に異なるようにするとよい。
【００１２】
本発明によれば、本体シャーシには、支持領域の進退方向における長さの異なるトレイに対して当該支持領域の長さに応じた複数の支持手段が設けられているので、支持領域の長さの異なる複数のトレイを本体シャーシに取り付けることが可能となる。具体的には、支持手段は少なくともトレイの支持領域の進退方向における前端部と後端部とを支持する複数の支持部材からなり、支持領域の長いトレイに対する支持手段（第１の支持手段）は、その支持領域の前端部と後端部間の距離に相当する間隔を有して設けられた複数の支持部材からなり、支持領域の短いトレイに対する支持手段（第２の支持手段）は、その支持領域の前端部と後端部間の距離に相当し、前記第１の支持手段の支持部材間の間隔よりも短い間隔を有して設けられた複数の支持部材からなる。
【００１３】
したがって、支持領域の長いトレイが本体シャーシに取り付けられたときは、当該トレイが本体シャーシから進出されたとき、第１の支持手段の複数の支持部材によりトレイの支持領域の前端部と後端部とが支持され、進出状態が好適に保持される。また、支持領域の短いトレイが本体シャーシに取り付けられたときは、当該トレイが本体シャーシから進出されたとき、第２の支持手段の複数の支持部材によりトレイの支持領域の前端部と後端部とが支持され、進出状態が好適に保持される。このため、支持領域の長さの異なる複数のトレイに対して本体シャーシの共通化を図ることができる。したがって、部品コストおよび製作コストの大幅な削減化を図ることができる。
【００１４】
他の好ましい実施の形態によれば、前記支持部材間の長さの長い支持手段の前記支持領域の後端部を支持する支持部材は、前記支持領域の長いトレイが本体シャーシに取り付けられ、当該トレイが当該本体シャーシから進出したとき、その支持領域の後端部を本体シャーシ側に押圧する押圧部材からなる。
【００１５】
本発明によれば、本体シャーシに支持領域の長いトレイが取り付けられたときは、当該トレイを当該本体シャーシから進出させたときに本体シャーシに設けられた押圧部材がトレイの支持領域の後端部を押圧するので、上記支持部材によるトレイの支持を補助するように機能する。
【００１６】
他の好ましい実施の形態によれば、前記本体シャーシには、前記トレイの進退方向に沿った両側端部近傍にそれぞれ形成された案内溝に係合するための案内部材が、前記トレイの進退方向に沿った、前記本体シャーシの両側端部近傍にそれぞれ形成されており、前記案内部材は、前記トレイを前記本体シャーシから進出させたときに当該トレイの支持領域を支持する支持手段の支持部材として兼用される。
【００１７】
本発明によれば、本体シャーシに形成された案内部材が、トレイの進退方向に沿った両側端部近傍にそれぞれ形成された案内溝に係合されるため、トレイは、その進退方向に沿って本体シャーシから進出することができる。また、案内部材は、トレイを本体シャーシから進出させたときに当該トレイの支持領域を支持する支持手段の支持部材として兼用されるため、トレイを本体シャーシから進出させたとき、トレイの左右方向のがたつきを抑制することができる。
【００１８】
本発明の第２の側面によって提供されるトレイは、本発明の第１の側面に係るトレイローディング装置に用いられるトレイであって、前記トレイには、前記トレイが前記本体シャーシから進出したとき、その支持領域の後端部を本体シャーシ側に押圧する押圧部材に当接する突起部材が形成されている。
【００１９】
本発明によれば、トレイに形成された突起部材は、トレイが本体シャーシから進出したときに、本体シャーシに形成された押圧部材に当接するので、支持領域の長いトレイは、本体シャーシに支持される際、その上下方向のがたつきが抑制される。
【００２０】
好ましい実施の形態によれば、前記トレイには、前記トレイの進退方向に沿った、前記本体シャーシの両側端部近傍にそれぞれ形成された案内部材を係合するための案内溝が、前記トレイの進退方向に沿った両側端部近傍にそれぞれ形成されており、一方の側端部に形成された案内溝の溝幅は、他方の側端部に形成された案内溝の溝幅に対して異なるように構成されている。
【００２１】
本発明によれば、トレイの一方の側端部に形成された案内溝の溝幅が、他方の側端部に形成された案内溝の溝幅に対して異なるように構成されているので、トレイを本体シャーシに対してスムーズに移動させることができる。
【００２２】
本発明のその他の特徴および利点は、添付図面を参照して以下に行う詳細な説明によって、より明らかとなろう。
【００２３】
【発明の実施の形態】
以下、本発明の好ましい実施の形態を、図面を参照して具体的に説明する。
【００２４】
図１は、本発明の実施形態に係るトレイローディング装置の本体シャーシの平面図であり、図２は、図１に示す本体シャーシの一部切欠正面図であり、図３および図４は、ハイエンドモデルのトレイを示す図であり、図５および図６は、ローエンドモデルのトレイを示す図である。
【００２５】
このトレイローディング装置は、ＣＤなどの記録媒体を再生するための再生装置などに組み込まれて設けられている。このトレイローディング装置は、図３および図４に示すハイエンドモデルのトレイ３０、図５および図６に示すローエンドモデルのトレイ４０をそれぞれ支持することのできる構造とされている。具体的には、トレイローディング装置は、トレイ３０，４０を収納するための本体シャーシ１０を有しており、本体シャーシ１０は、ＣＤなどを載置可能なトレイ３０，４０を所定方向（図１の矢印Ａ方向参照）に沿って進退可能に支持する。
【００２６】
本体シャーシ１０は、図１および図２に示すように、前面部および天井部が開放された略箱体状に形成されている。本体シャーシ１０は、底板部１１と、底板部１１の両側端から直交方向に延びた右側板部１２および左側板部１３と、底板部１１の後端から直交方向に延びた後側板部１４とを備えている。右側板部１２および左側板部１３には、それぞれの上端中央から上方に延び、両者を掛け渡すように配されたアーチ部１５（本発明における支持手段の支持部材および押圧部材に相当）が設けられている。
【００２７】
右側板部１２には、それに沿ってかつ本体シャーシ１０の内側に向かって突出した右支持部１６が設けられている。また、左側板部１３には、それに沿ってかつ本体シャーシ１０の内側に向かって突出した左支持部１７が設けられている。
【００２８】
右支持部１６および左支持部１７には、上方に突出した複数のガイド部材１８ａ〜１８ｆ（本発明における案内部材に相当）が形成されている。これらのガイド部材１８ａ〜１８ｆは、トレイ３０，４０を案内するために略円柱状に形成されており、トレイ３０，４０の裏面側に形成された案内溝（後述）に係合されるようになっている。右支持部１６には、３つのガイド部材１８ａ〜１８ｃが形成されており、すなわち、手前側に設けられた第１のガイド部材１８ａ、第１のガイド部材１８ａから奥行き側に所定距離Ｂ（図１参照）隔てた位置に設けられた第２のガイド部材１８ｂ、および後側板部１４近傍に設けられた第３のガイド部材１８ｃがそれぞれ配置されている。一方、左支持部１７には、３つのガイド部材１８ｄ〜１８ｆが形成されており、すなわち、手前側に設けられた第４のガイド部材１８ｄ、第４のガイド部材１８ｄから奥行き側に所定距離Ｃ（図１参照）隔てた位置に設けられた第５のガイド部材１８ｅ、および後側板１４近傍に設けられた第６のガイド部材１８ｆがそれぞれ配置されている。
【００２９】
第１のガイド部材１８ａと第２のガイド部材１８ｂとの距離Ｂは、第４のガイド部材１８ｄと第５のガイド部材１８ｅとの距離Ｃより長く設定されており、すなわち、第２のガイド部材１８ｂと第５のガイド部材１８ｅとは、本体シャーシ１０において互いに非対称な位置に配されている。これは、長さの異なるトレイ３０，４０をそれぞれ支持する場合、それらが本体シャーシ１０から進出したときに、本体シャーシ１０がトレイ３０，４０をそれぞれ支持する領域が異なるためである（詳細は後述）。
【００３０】
なお、ガイド部材１８ａ〜１８ｆの形状は、上記では略円柱状とされているが、これに代えて、右側板部１２および左側板部１３に沿って延びた略楕円柱形状などであってもよい。
【００３１】
右側板部１２および左側板部１３には、トレイ３０，４０を第１ないし第６のガイド部材１８ａ〜１８ｆとで挟持するための複数の挟持部材２０ａ〜２０ｆが形成されている。複数の挟持部材２０ａ〜２０ｆは、図２に示すように、それぞれ本体シャーシ１０の内側に向けて突出するように形成されている。
【００３２】
右側板部１２には、３つの挟持部材２０ａ〜２０ｃが形成されており、すなわち、手前側に設けられた第１の挟持部材２０ａ、第１の挟持部材２０ａから奥行き側に所定距離Ｄ（図１参照）隔てた位置に設けられた第２の挟持部材２０ｂ、および後側板部１４近傍に設けられた第３の挟持部材２０ｃがそれぞれ配置されている。一方、左側板部１３には、３つの挟持部材２０ｄ〜２０ｆが形成されており、すなわち、手前側に設けられた第４の挟持部材２０ｄ、第４の挟持部材２０ｄから奥行き側に所定距離Ｄ（図１参照）隔てた位置に設けられた第５の挟持部材２０ｅ、および後側板部１４近傍に設けられた第６の挟持部材２０ｆがそれぞれ配置されている。
【００３３】
これら第１ないし第３の挟持部材２０ａ〜２０ｃと、第４ないし第６の挟持部材２０ｄ〜２０ｆは、本体シャーシ１０において左右対称の位置にそれぞれ配置されている。
【００３４】
本体シャーシ１０には、モータ３と、このモータ３の回転運動を直線運動に変換しつつそれをトレイ３０，４０に伝達するための伝達機構４と、本体シャーシ１０の内部に設けられ、ＣＤなどの内容を読み取るための図示しない読取部とが設けられている。
【００３５】
モータ３は、図１に示すように、本体シャーシ１０の一端部近傍に設けられ、図示しないＣＰＵによってその軸心が回動可能に制御される。なお、ＣＰＵは、図１および図２には示されていないが、本体シャーシ１０の下面側に設けられた制御基板に実装されている。
【００３６】
伝達機構４は、複数のプーリ、それに接続された複数のギアなどによって概略構成されている。複数のギアのうち最終端のギア４ａは、トレイ３０，４０に形成されたラック（後述）に歯合され、そのギア４ａとラックとによってラック＆ピニオンが構成される。これにより、モータ３が回転駆動されると、上記プーリおよびギアによって、モータ３の回転力が伝達機構４に伝達される。そして、ギア４ａとラックとによってモータ３の回転運動が直線運動に変換され、トレイ３０，４０がそれぞれ進退方向に沿って移動されるようになっている。
【００３７】
ハイエンドモデルのトレイ３０は、たとえばダイカスト製とされ、図３に示すように、平面視略矩形状に形成されている。なお、図３は、トレイ３０の下面側から見た図であり、図４は、トレイ３０の正面図である。トレイ３０は、その一端部寄りの上面にＣＤなどを載置するための凹陥部３１が形成されている。トレイ３０の下面（裏面）には、その長手方向の両側端に沿って右枠片３２（図３では左側の枠片）および左枠片３３（図３では右側の枠片）が形成されている。右枠片３２および左枠片３３は、図４に示すように、それぞれ本体シャーシ１０の外側に突出するようにして形成されている。
【００３８】
右枠片３２の裏面側には、本体シャーシ１０に形成されている第１ないし第３のガイド部材１８ａ〜１８ｃ（図１参照）を案内するための右案内溝３４が形成されている。一方、左枠片３３の裏面側には、本体シャーシ１０に形成されている第４ないし第６のガイド部材１８ｄ〜１８ｆ（図１参照）を案内するための左案内溝３５が形成されている。
【００３９】
ここで、ハイエンドモデルのトレイ３０では、右枠片３２に形成された右案内溝３４が、左枠片３３に形成された左案内溝３５に比べ、その溝幅が狭くなるように形成されている。より具体的には、右案内溝３４の溝幅は、本体シャーシ１０のガイド部材１８ａ〜１８ｆの直径に比べ略同じかあるいはそれよりやや大とされ、左案内溝３５の溝幅は、本体シャーシ１０のガイド部材１８ａ〜１８ｆの直径に比べかなり大とされている。
【００４０】
このように、各案内溝３４，３５の溝幅が異なるようにされておれば、本体シャーシ１０に対するトレイ３０の移動をスムーズに行うことができるといった利点がある。また、トレイ３０が本体シャーシ１０に組み込まれたとき、第１ないし第３のガイド部材１８ａ〜１８ｃは、右案内溝３４に比較的きっちりと嵌挿されるため、トレイ３０の本体シャーシ１０に対する左右方向のがたつきを抑制することができる。
【００４１】
また、ハイエンドモデルのトレイ３０には、図４に示すように、その表面における奥行き側の他端部近傍に一対のリブ３６，３７（本発明における突起部材に相当）が形成されている。これらのリブ３６，３７は、トレイ３０が本体シャーシ１０に組み込まれて、本体シャーシ１０から進出したとき、本体シャーシ１０のアーチ部１５の裏面と当接するものである。
【００４２】
トレイ３０の右枠片３２の内側近傍には、トレイ３０の長手方向に沿って略波状に延び、伝達機構４のギア４ａと歯合されるラック３８が形成されている。トレイ３０の左枠片３３の近傍には、平面視略Ｌ字状のガイド溝３９が形成されている。このガイド溝３９は、略蛇行するように形成され、伝達機構４の一部を構成する突起部材（図略）を案内するためのものである。
【００４３】
一方、ローエンドモデルのトレイ４０は、図５に示すように、平面視略矩形状に形成され、その一端部寄りの上面にＣＤなどを載置するための凹陥部４１が形成されている。ローエンドモデルのトレイ４０は、ハイエンドモデルのトレイ３０に比べ、長手方向の長さが小とされている。
【００４４】
また、ローエンドモデルのトレイ４０の下面（裏面）には、その長手方向の両側端に沿って右枠片４２（図５では左側の枠片）および左枠片４３（図５では右側の枠片）が形成されている。右枠片４２および左枠片４３は、図６に示すように、それぞれ本体シャーシ１０の外側に突出するようにして形成されている。
【００４５】
右枠片４２の裏面側には、本体シャーシ１０に形成されている第１ないし第３のガイド部材１８ａ〜１８ｃ（図１参照）を案内するための右案内溝４４が形成されている。一方、左枠片４３の裏面側には、本体シャーシ１０に形成されている第４ないし第６のガイド部材１８ｄ〜１８ｆ（図１参照）を案内するための左案内溝４５が形成されている。
【００４６】
ここで、ローエンドモデルのトレイ４０では、左枠片４３に形成された左案内溝４５が、右枠片４２に形成された右案内溝４４に比べ、その溝幅が狭くなるように形成されている。すなわち、ハイエンドモデルのトレイ３０に比べ、案内溝４３，４４の幅の大小が左右反対の関係を有している。より具体的には、ローエンドモデルのトレイ４０において、左案内溝４５の溝幅は、本体シャーシ１０のガイド部材１８ａ〜１８ｆの直径に比べ略同じかあるいはそれよりやや大とされ、右案内溝４４の溝幅は、本体シャーシ１０のガイド部材１８ａ〜１８ｆの直径に比べかなり大とされている。
【００４７】
このように、各案内溝４４，４５の溝幅が異なるようにされておれば、本体シャーシ１０に対するトレイ４０の移動をスムーズに行うことができるといった利点がある。また、トレイ４０が本体シャーシ１０に組み込まれたとき、第４ないし第６のガイド部材１８ｄ〜１８ｆは、左案内溝４４に比較的きっちりと嵌挿されるため、トレイ４０の本体シャーシ１０に対する左右方向のがたつきを抑制することができる。
【００４８】
トレイ４０の右枠片４２の内側近傍には、トレイ４０の長手方向に沿って略波状に延び、伝達機構４のギア４ａと歯合されるラック４８が形成されている。トレイ４０の左枠片４３の近傍には、平面視略Ｌ字状のガイド溝４９が形成されている。このガイド溝４９は、略蛇行するように形成され、伝達機構４の突起部材（図略）を案内するためのものである。
【００４９】
なお、ローエンドモデルのトレイ４０には、ハイエンドモデルのトレイ３０の表面において形成されていた一対のリブ３６，３７は、形成されていない。
【００５０】
次に、上記トレイローディング装置における動作を、図７ないし図１０を参照して説明する。なお、図７ないし図１０では、伝達機構４の部分を省略している。まず、ハイエンドモデルのトレイ３０が本体シャーシ１０に収納されている場合の状態について、図７を参照して説明する。
【００５１】
ハイエンドモデルのトレイ３０が本体シャーシ１０に収納されているとき、本体シャーシ１０の右案内溝３４には、図７（ｂ）  に示すように、第１ないし第３のガイド部材１８ａ〜１８ｃが係合される。上記右案内溝３２は、左案内溝３３より幅狭とされ、第１ないし第３のガイド部材１８ａ〜１８ｃを嵌挿するため、右案内溝３２および第１ないし第３のガイド部材１８ａ〜１８ｃによってトレイ３０の左右方向のがたつきが抑制されることになる。なお、トレイ３０の左案内溝３３には、本体シャーシ１０の第４ないし第６のガイド部材１８ｄ〜１８ｆが係合されるが、上記左案内溝３３は、右案内溝３２より幅広とされ、第４ないし第６のガイド部材１８ｄ〜１８ｆが遊嵌されているため、がたつきを抑制する機能は働かない。
【００５２】
また、トレイ３０が本体シャーシ１０に収納されているとき、本体シャーシ１０の第１ないし第３の挟持部材２０ａ〜２０ｃは、第１ないし第３のガイド部材１８ａ〜１８ｃとによって、トレイ３０の右枠片３２を挟み込む。一方、本体シャーシ１０の第４ないし第６の挟持部材２０ｄ〜２０ｆは、第４ないし第６のガイド部材１８ｄ〜１８ｆとによって、トレイ３０の左枠片３３を挟み込む。これにより、トレイ３０が本体シャーシ１０に収納されているときのトレイ３０の上下方向へのがたつきが抑制されることになる。
【００５３】
次いで、ハイエンドモデルのトレイ３０が本体シャーシ１０から進出される場合の状態について、図８を参照して説明する。
【００５４】
たとえば、ユーザによって、トレイ３０を本体シャーシ１０から進出させるための操作が行われると、ＣＰＵはモータ３を回転駆動させる。このモータ３の回転にともなって、伝達機構４にその回転力が与えられ、ラック＆ピニオンの機能により、トレイ３０は手前側に進出する。
【００５５】
この場合、第３および第６の挟持部材２０ｃ，２０ｆは、トレイ３０の移動にともないトレイ３０の右枠片３２および左枠片３４からそれぞれ離脱するが、第１および第２の挟持部材２０ａ，２０ｂ並びに第４および第５の挟持部材２０ｄ，２０ｅは、右枠片３２および左枠片３４を挟持したままである。
【００５６】
また、このハイエンドモデルのトレイ３０では、トレイ３０が本体シャーシ１０から進出したとき、図８（ｂ）  に示すように、そのトレイ３０に形成されている一対のリブ３６，３７がアーチ部１５の内側に当接することにより、トレイ３０は、アーチ部１５によって本体シャーシ１０側に押圧される。
【００５７】
一方、第３および第６のガイド部材１８ｃ，１８ｆは、トレイ３０が本体シャーシ１０から進出したとき、トレイ３０の右案内溝３４および左案内溝３５からそれぞれ離脱するが、第１および第２のガイド部材１８ａ，１８ｂ並びに第４および第５のガイド部材１８ｄ，１８ｅは、右案内溝３４および左案内溝３５に係合されたままである。
【００５８】
すなわち、トレイ３０が本体シャーシ１０から進出したとき、トレイ３０は、本体シャーシ１０によって支持される支持領域（図８のＥの斜線で表わされる領域）を有することになるが、トレイ３０は、その支持領域の前端部において、第１の挟持部材２０ａおよび第４の挟持部材２０ｄによって支持され、支持領域の後端部では、アーチ部１５によって支持される。また、トレイ３０は、上記支持領域の前端部では、第１のガイド部材１８ａによって支持され、支持領域の後端部では、第２のガイド部材１８ｂによって支持される。これにより、トレイ３０の進出状態が好適に保持される。この場合、第１の挟持部材２０ａ、第４の挟持部材２０ｄ、アーチ部１５、第１のガイド部材１８ａ、および第２のガイド部材１８ｂは、本発明における支持手段の支持部材に相当する。
【００５９】
また、第１および第２のガイド部材１８ａ，１８ｂは、トレイ３０が本体シャーシ１０から進出したとき、トレイ３０の案内溝３４に比較的きっちりと嵌挿されるため、本体シャーシ１０に対するトレイ３０の左右方向のがたつきを防止することができる。
【００６０】
次に、ローエンドモデルのトレイ４０が本体シャーシ１０に収納されている場合の状態について、図９を参照して説明する。
【００６１】
ローエンドモデルのトレイ４０が本体シャーシ１０に収納されているとき、トレイ４０の左案内溝４５には、図９（ｂ）  に示すように、第４ないし第６のガイド部材１８ｄ〜１８ｆが係合される。上記左案内溝４５は、ハイエンドモデルのトレイ３０とは異なり、右案内溝４４より幅狭とされ、第４ないし第６のガイド部材１８ｄ〜１８ｆを嵌挿するため、左案内溝４５および第４ないし第６のガイド部材１８ｄ〜１８ｆによってトレイ４０の左右方向へのがたつきが抑制されることになる。なお、トレイ４０の右案内溝４４には、本体シャーシ１０の第１ないし第３のガイド部材１８ａ〜１８ｃが係合されるが、上記右案内溝４４は、左案内溝４５より幅広とされ、第１ないし第３のガイド部材１８ａ〜１８ｃが遊嵌されることになる。
【００６２】
また、トレイ４０が本体シャーシ１０に収納されているとき、ハイエンドモデルのトレイ３０の場合と同様に、本体シャーシ１０の第１ないし第３の挟持部材２０ａ〜２０ｃは、第１ないし第３のガイド部材１８ａ〜１８ｃとによって、トレイ４０の右枠片４２を挟み込む。一方、本体シャーシ１０の第４ないし第６の挟持部材２０ｄ〜２０ｆは、第４ないし第６のガイド部材１８ｄ〜１８ｆとによって、トレイ４０の左枠片４３を挟み込む。これにより、トレイ４０が本体シャーシ１０に収納されているときの、トレイ３０の上下方向へのがたつきが抑制されることになる。
【００６３】
次いで、ローエンドモデルのトレイ４０が本体シャーシ１０から進出される場合の状態について、図１０を参照して説明する。たとえば、ユーザによって、トレイ４０を本体シャーシ１０から進出させるための操作が行われると、トレイ４０は、手前側に進出する。
【００６４】
この場合、第３および第６の挟持部材２０ｃ，２０ｆは、トレイ４０の移動にともないトレイ４０の右枠片４２および左枠片４４からそれぞれ離脱するが、第１および第２の挟持部材２０ａ，２０ｂ並びに第４および第５の挟持部材２０ｄ，２０ｅは、右枠片４２および左枠片４４を挟持したままである。
【００６５】
一方、第３および第６のガイド部材１８ｃ，１８ｆは、トレイ４０が本体シャーシ１０から進出したとき、トレイ４０の右案内溝４４および左案内溝４５からそれぞれ離脱するが、第１および第２のガイド部材１８ａ，１８ｂ並びに第４および第５のガイド部材１８ｄ，１８ｅは、右案内溝４４および左案内溝４５に係合されたままである。
【００６６】
すなわち、トレイ４０が本体シャーシ１０から進出したとき、トレイ４０は、本体シャーシ１０によって支持される支持領域（図１０のＦの斜線で表わされる領域）を有することになるが、トレイ４０は、その支持領域の前端部において、第１の挟持部材２０ａおよび第４の挟持部材２０ｄによって支持され、支持領域の後端部では、第２の挟持部材２０ｂおよび第５の挟持部材２０ｅによって支持される。また、トレイ４０は、上記支持領域の前端部では、第４のガイド部材１８ｄによって支持され、支持領域の後端部では、第５のガイド部材１８ｅによって支持される。これにより、トレイ４０の進出状態が好適に保持される。この場合、第１の挟持部材２０ａ、第２の挟持部材２０ｂ，第４の挟持部材２０ｄ、第５の挟持部材２０ｅ、第４のガイド部材１８ｄ、および第５のガイド部材１８ｅは、本発明における支持手段の支持部材に相当する。
【００６７】
また、第４および第５のガイド部材１８ｄ，１８ｅは、トレイ４０の案内溝４５に比較的きっちりと嵌挿されるため、トレイ４０が本体シャーシ１０から進出したとき、本体シャーシ１０に対するトレイ４０の左右方向のがたつきを防止することができる。
【００６８】
このように、本体シャーシ１０には、支持領域の進退方向における長さの異なるトレイ３０，４０に対して支持領域の長さに応じた複数の支持手段としての挟持部材やガイド部材が設けられているので、支持領域の長さの異なる複数のトレイ３０，４０を本体シャーシ１０に取り付けることが可能となり、ハイエンドモデルのトレイ３０およびローエンドモデルのトレイ４０のいずれのトレイが本体シャーシ１０から進出されたときであっても、本体シャーシ１０に対する上下方向および左右方向のがたつきを抑制しつつ、それらのトレイ３０，４０を良好に支持することができる。そのため、本実施形態では、本体シャーシ１０の共通化を図ることができ、部品コストおよび製作コストの大幅な削減化を図ることができる。
【００６９】
もちろん、この発明の範囲は上述した実施の形態に限定されるものではない。たとえば、上記実施形態においては、ガイド部材の数が６個とされたが、これに限るものではない。また、上記実施形態においては、挟持部材の数が６個とされたが、これに限るものではない。
【００７０】
また、上記実施形態においては、本体シャーシ１０が収納可能なトレイとしてトレイ３０およびトレイ４０について説明したが、本発明に係るトレイとしては上記トレイ３０，４０に限るものではない。また、挟持部材やガイド部材の位置も、本発明の範囲を逸脱しない範囲で設定可能であり、上記実施形態に限定されるものではない。
【００７１】
また、上記実施形態においては、トレイ３０およびトレイ４０の案内溝の幅が右案内溝と左案内溝とで互いに異なるようにされたが、これに限らず、たとえば右案内溝同士あるいは左案内溝同士が幅狭とされてもよい。
【００７２】
また、上記実施形態においては、記録媒体としてＣＤやＤＶＤなどを対象に説明したが、これらに限らず、ＭＤ（ｍｉｎｉ  ｄｉｓｋ）やＦＤ（ｆｌｏｐｐｙ  ｄｉｓｋ）、あるいはカセットテープなどが対象とされるローディング機構に適用されてもよい。
【図面の簡単な説明】
【図１】本発明の実施形態に係るトレイローディング装置の本体シャーシの平面図である。
【図２】図１に示す本体シャーシの一部切欠正面図である。
【図３】ハイエンドモデルのトレイを下面から見た図である。
【図４】ハイエンドモデルのトレイの正面図である。
【図５】ローエンドモデルのトレイを下面から見た図である。
【図６】ローエンドモデルのトレイの正面図である。
【図７】トレイローディング装置の動作を説明するための図であり、（ａ）  は平面図、（ｂ）  は正面図である。
【図８】トレイローディング装置の動作を説明するための図であり、（ａ）  は平面図、（ｂ）  はｂ−ｂ方向に見た断面図である。
【図９】トレイローディング装置の動作を説明するための図であり、（ａ）  は平面図、（ｂ）  は正面図である。
【図１０】トレイローディング装置の動作を説明するための図であり、（ａ）  は平面図、（ｂ）  はｂ−ｂ方向に見た断面図である。
【符号の説明】
１０  本体シャーシ
１５  アーチ部
３０  トレイ（ハイエンドモデルの）
４０  トレイ（ローエンドモデルの）
１８ａ〜１８ｆ  ガイド部材
２０ａ〜２０ｆ  挟持部材
３４，３５  案内溝（ハイエンドモデルのトレイの）
３６，３７  リブ
４４，４５  案内溝（ローエンドモデルのトレイの）
【図１】
2004246962.tif 000003
【図２】
2004246962.tif 000004
【図３】
2004246962.tif 000005
【図４】
2004246962.tif 000006
【図５】
2004246962.tif 000007
【図６】
2004246962.tif 000008
【図７】
2004246962.tif 000009
【図８】
2004246962.tif 000010
【図９】
2004246962.tif 000011
【図１０】
2004246962.tif 000012